(57)【要約】【課題】携帯電話機等の携帯端末において、電池残量が所定値以下になり電源が自動でオフになった後も、緊急の連絡ができる使い勝手のよい携帯端末を提供する。【解決手段】電池の残量がＶ１まで低下したときに電源からの電力供給をオフにする通常モードと、Ｖ１より多いＶ２まで低下したときに電源からの電力供給をオフにする緊急モードのいずれかのモードを設定する緊急／通常モード設定手段と、緊急モードが設定されており、かつ電池の残量がＶ２まで低下したことを検出して電源からの電力供給をオフにした後に、任意のキーの長押しを検出すると、電源からの電源供給をオンにし、長押しされたキーの情報を含む緊急通信の開始を指示する信号を緊急通信手段へ送信する電源制御手段と、前記信号を受信すると、この信号に含まれる前記キーの情報に対応して予め指定されている宛先へ発信動作を行う制御手段とを具備する。【選択図】  図２
2012060281.tif 000002
【特許請求の範囲】
【請求項１】
電池の残量が第１の電池残量まで低下したときに電源からの電力供給をオフにする通常モードと、前記第１の電池残量より多い第２の電池残量まで低下したときに前記電源からの電力供給をオフにする緊急モードのいずれかのモードを設定する緊急／通常モード設定手段と、
前記緊急モードが設定されており、かつ電池の残量が前記第２の電池残量まで低下したことを検出して前記電源からの電力供給をオフにした後に、任意のキーの長押しを検出すると、前記電源からの電源供給をオンにし、長押しされたキーの情報を含む緊急通信の開始を指示する信号を緊急通信手段へ送信する電源制御手段と、
前記信号を受信すると、この信号に含まれる前記キーの情報に対応して予め指定されている宛先へ発信動作を行う制御手段と
を具備することを特徴とする携帯端末。
【請求項２】
前記緊急通信手段の発信は、前記キー種別毎に予め指定されている電話番号への発信動作、または前記キー種別毎に予め指定されているメールアドレスへの予め指定されたメール本文の発信動作であることを特徴とする請求項１記載の携帯端末。
【請求項３】
前記制御手段は、前記信号を受信した場合、表示部を点灯させないことを特徴とする請求項１記載の携帯端末。
【請求項４】
前記制御手段は、前記発信動作を終了後に前記電源からの電力供給をオフにするための指示を前記電源制御手段へ送信することを特徴とする請求項１記載の携帯端末。
【発明の詳細な説明】
【技術分野】
【０００１】
本発明の実施形態は、携帯端末に関する。
【背景技術】
【０００２】
携帯電話機等の携帯端末は、電池残量が所定値以下になると電源が自動でオフになり、その後は、充電しない限り、使用できず、緊急連絡等も行えない。そのような問題に対応した先行技術も開示されている。
【先行技術文献】
【特許文献】
【０００３】
【特許文献１】特開２００４−１５６３３号公報
【発明の概要】
【発明が解決しようとする課題】
【０００４】
携帯電話機等の携帯端末において、電池残量が所定値以下になり電源が自動でオフになった後も、緊急の連絡ができる使い勝手のよい携帯端末を提供することを目的とする。
【課題を解決するための手段】
【０００５】
上記目的を達成するために、本発明の実施形態の携帯端末は、電池の残量が第１の電池残量まで低下したときに電源からの電力供給をオフにする通常モードと、前記第１の電池残量より多い第２の電池残量まで低下したときに前記電源からの電力供給をオフにする緊急モードのいずれかのモードを設定する緊急／通常モード設定手段と、前記緊急モードが設定されており、かつ電池の残量が前記第２の電池残量まで低下したことを検出して前記電源からの電力供給をオフにした後に、任意のキーの長押しを検出すると、前記電源からの電源供給をオンにし、長押しされたキーの情報を含む緊急通信の開始を指示する信号を緊急通信手段へ送信する電源制御手段と、前記信号を受信すると、この信号に含まれる前記キーの情報に対応して予め指定されている宛先へ発信動作を行う制御手段とを具備することを特徴とする。
【図面の簡単な説明】
【０００６】
【図１】本発明の実施例に係る携帯端末１００の電池２の放電特性および緊急モード、通常モードを説明する図である。。
【図２】本発明の実施例に係る携帯端末１００の関連部分のブロック図。
【図３】本発明の実施例に係る携帯端末１００の主制御部２０の緊急／通常モード設定機能２１の動作フローチャート。
【図４】本発明の実施例に係る携帯端末１００の電源制御部１の動作フローチャート。
【図５】本発明の実施例に係る携帯端末１００の主制御部２０の緊急通信機能２２等の動作フローチャート。
【発明を実施するための形態】
【０００７】
図１は、本発明の実施例に係る携帯端末１００で使用する電池２の放電特性および緊急モード、通常モードを説明する図である。携帯端末１００は、ユーザ設定により、通常モードか緊急モードのいずれかに設定することができる。
【０００８】
携帯端末１００は、通常モードが設定されている場合には、電池電圧がＶ１（第１の電池残量）以上のタイミングＴ１までは普通に使用することができ、全てのキーは操作が可能である。電池電圧が徐々に低下してＶ１まで低下した時点のタイミングＴ１で、電源を自動でオフにする。電池電圧がＶ１以下では、携帯端末１００の動作を保証できない電圧であり、Ｔ１以降は使用できないし、全てのキーは操作不可能となる。使用するためには、電池を充電するしかない。
【０００９】
携帯端末１００は、緊急モードが設定されている場合には、電池電圧がＶ２（第２の電池残量）以上のタイミングＴ２までは普通に使用することができ、全てのキーは操作が可能である。電池電圧が徐々に低下してＶ２まで低下した時点のタイミングＴ２で、電源を自動でオフにする。このＶ２（第２の電池残量）はＶ１（第１の電池残量）よりも多く、タイミングＴ２以降からＴ１までの間は、まだ余力があり、緊急通信に限って可能な電池残量を確保したモードである。このタイミングＴ２以降からＴ１までの間は、緊急通信に関連したテンキーの操作のみ可能である。
【００１０】
緊急モードでは、タイミングＴ２で自動電源オフになったあとも緊急通信に限って使用することができるが、タイミングＴ２以前の普通に使用できる期間は、通常モードの普通に使用できる期間のタイミングＴ１より短くなる。どちらのモードを選択するかは、ユーザの選択次第である。
【００１１】
図２は、本発明の実施例に係る携帯端末１００の関連部分のブロック図である。携帯端末１００は、電池２からの電力供給を受けて動作する電源制御機能１１および長押し検知機能１２を備える電源制御部１、電池２、操作入力部３、また、電源制御部１によりオンオフ制御される電池２からの電力供給の電力１１ａを受けて動作する無線部４、通信制御部５、送話／受話部６、表示部７、主制御部２０（緊急／通常モード設定機能２１、緊急通信機能２２）、設定モード記憶部３１、緊急通信方法記憶部３２、テンキー対応記憶部３３等から構成される。
【００１２】
電源制御部１の電源制御機能１１は、操作入力部３の電源キー３ａのオンオフ操作に基づいて、電池２からの電力供給をオンオフ制御した電力１１ａを出力する。また、長押し検知機能１２からの長押し検知の通知により電池２からの電力供給をオンにした電力１１ａを出力する。また、緊急通信機能２２からの電源オフ指示２２ｂにより電池２からの電力供給をオフにした電力１１ａを出力する。
【００１３】
電源制御機能１１は、さらに、緊急／通常モード設定機能２１で設定された緊急モードか通常モードであるかを通知する設定モード２１ａに基づいて、緊急モードであれば電池電圧がＶ２以下になった時点で電力１１ａをオフにし、通常モードであれば電池電圧がＶ１以下になった時点で電力１１ａをオフにする。
【００１４】
電源制御部１の長押し検知機能１２は、緊急モードが設定されて電池電圧がＶ２以下になって電力１１ａがオフになった状態での操作入力部３のテンキー３ｂの長押しを検知する。これを検知すると、電力１１ａをオンにし、長押下１２ａとして、長押しされたテンキーの種別情報とともに緊急通信機能２２へ通知する。
【００１５】
次に、オンオフ制御される電力１１ａで動作する点線枠の中の箇所について説明する。当然、電力１１ａがオンの状態で動作する。無線部４は、図示しない携帯電話網を構成する基地局との間でアンテナを介して無線信号の送受信、周波数変換、変調復調処理などを行う。通信制御部５は、フレーム同期、データフォーマット処理等を行う。送話／受話部６は、音声信号の圧縮伸長処理部、マイクロホン、スピーカ等を有する。表示部７は、ＬＣＤ等の表示手段であり、バックライトを有する。
【００１６】
主制御部２０は、図示しないＣＰＵ、ＲＯＭ、ＲＡＭなどから構成され、ＲＯＭに記憶されているソフトウェアに基づいて、緊急／通常モード設定機能２１、緊急通信機能２２を実行する。
【００１７】
緊急／通常モード設定機能２１は、ユーザにより操作入力部３から入力される緊急／通常モードの選択操作である全般キー３ｃをチェックして、設定されたモード、すなわち緊急モードであるか通常モードであるかを設定モード記憶部３１に記憶する。
【００１８】
また、緊急／通常モード設定機能２１は、緊急通信を電話で行うかメールで行うかのユーザ操作設定である全般キー３ｃをチェックして、緊急通信方法記憶部３２に記憶する。また、ユーザ操作設定である全般キー３ｃをチェックして、テンキーの番号１〜９それぞれに対応して、緊急通信の電話宛先と電話音声通信内容、およびメール宛先とメール内容についてのユーザ設定をテンキー対応記憶部３３に記憶する。電話音声通信内容については文章入力の音声合成出力、またはユーザによる音声録音であってもよい。
【００１９】
緊急通信機能２２は、電源制御部１の長押し検知機能１２から長押下１２ａの通知があると、すなわち、緊急モードが設定されて電池電圧がＶ２以下になって電力１１ａがオフになった状態での操作入力部３のテンキーの長押しがあると、その後、再び電力１１ａがオンになっているため、長押下１２ａの通知を検知して、緊急通信処理を行う。
【００２０】
この緊急通信処理は、緊急通信方法記憶部３２に予めユーザ設定されて記憶されている電話かメールかの通信方法により、また、テンキー対応記憶部３３に予めユーザ設定されて記憶されている宛先と通信内容に基づいて、緊急通信処理を行う。
【００２１】
緊急通信機能２２は、緊急通信処理が終了すると、ブザー２２ａ信号により送話／受話部６のスピーカに対して緊急通信終了音を発して報知する。
【００２２】
設定モード記憶部３１は、ユーザにより設定されたモード、すなわち緊急モードであるか通常モードであるかが記憶される。
【００２３】
緊急通信方法記憶部３２は、緊急通信を電話で行うかメールで行うかのユーザ設定が記憶される。
【００２４】
テンキー対応記憶部３３は、テンキーの番号１〜９それぞれに、緊急通信の電話宛先と電話音声通信内容、およびメール宛先とメール内容についてのユーザ設定を記憶する。電話音声通信内容については文章入力の音声合成出力、またはユーザによる音声録音であってもよい。
【００２５】
次に、電源制御部１の機能の詳細をフローチャートで説明する。  
図３は、本発明の実施例に係る携帯端末１００の主制御部２０の緊急／通常モード設定機能２１の動作フローチャートである。オンオフ制御される電力１１ａの供給を受けて作動する。
【００２６】
ユーザが任意のタイミングで緊急／通常モード設定を起動すると、緊急／通常モード設定機能２１が開始する。緊急／通常モード設定機能２１は、ユーザによる緊急／通常モード設定の操作入力をチェックし（ステップＳ１）、操作選択された緊急モードか通常モードかのいずれかを緊急／通常モード記憶部３１に記憶する（ステップＳ２）。
【００２７】
緊急／通常モード設定機能２１は、この操作選択されたモードを緊急／通常モード信号２１ａとして、電源制御部１へ通知する（ステップＳ３）。電源制御部１は、この通知に基づいて、電池電圧を測定して、所定の電圧になったら電力１１ａの自動電源オフの制御を行う。
【００２８】
また、緊急／通常モード設定機能２１は、緊急モードの場合の通信方法等に関するユーザによる詳細設定入力をチェックし（ステップＳ４）、緊急通信として電話発信かメール発信のどちらを使うかの入力設定を緊急通信方法記憶部３２に記憶する（ステップＳ５）。
【００２９】
さらに、緊急／通常モード設定機能２１は、ユーザによるテンキー毎に対応付けた緊急通信の宛先と通信内容の設定入力をテンキー対応記憶部３３に記憶する（ステップＳ６）。
【００３０】
以上のユーザ設定に基づいて、以後、緊急モードか通常モードかで携帯端末１００は動作する。次に、このユーザ設定後の携帯端末１００の動作について説明する。  
図４は、本発明の実施例に係る携帯端末１００の電源制御部１の動作フローチャートである。電源制御部１は、電池２の供給を常時受けて動作する。電源制御部１の電源制御機能１１と長押し検知機能１２を合わせて説明する。
【００３１】
電源制御部１は、電源キーのオン／オフ操作をチェックし（ステップＳ１１）、それに基づいて電力１１ａをオン／オフする（ステップＳ１２）。
【００３２】
電源制御部１は、主制御部２０からの設定モード２１ａをチェックし、緊急モードか通常モードかを確認する（ステップＳ１３）。設定モード２１ａは、主制御部２０が立ち上がっていないときにもホールドされた信号である。これが、緊急モードならば、自動電源オフ電圧として、Ｖ２（第２の電池残量）を内部に設定し、通常モードならば、自動電源オフ電圧として、Ｖ１（第１の電池残量）を内部に設定する（ステップＳ１４）。
【００３３】
電源制御部１は、電池電圧を測定し、ステップＳ１４で設定された自動電源オフ電圧と比較し（ステップＳ１５）、電池電圧がまだ高ければステップＳ１１へ戻り、ループする。  
電源制御部１は、ステップＳ１５で電池電圧が自動電源オフ電圧以下に低下すれば、電力１１ａをオフにする（ステップＳ１６）。そして、設定モードを確認し（ステップＳ１７）、通常モードであれば終了する（ステップＳ１８）。そして、以後は、電池が再充電されるまで作動しない。
【００３４】
電源制御部１は、ステップＳ１７で緊急モードであれば、ユーザによるテンキーの長押し操作があるかを待つ（ステップＳ２１のループ）。このテンキーの長押し操作の待ち動作中は、電源制御部１のみ動作し、主制御部２０等は動作していないので、省電力を図ることができる。
【００３５】
電源制御部１は、ステップＳ２１で長押しを検知すると、電力１１ａをオンにする（ステップＳ２２）。そして、ステップＳ２１で長押しされたテンキーの種別を確認して、テンキー種別情報を長押下１２ａとして主制御部２０へ通知する（ステップＳ２３）。ステップＳ２２で電力１１ａをオンにした直後なので、主制御部２０側は、ブート処理等に時間を要して、すぐには長押下１２ａを検知できないので、長押下１２ａは信号をホールドした状態で通知される。
【００３６】
そして、電源制御部１は、主制御部２０が立ち上がって緊急通信を行い、緊急通信の終了を表す主制御部２０からの電源オフ指示２２ｂを待つ（ステップＳ２４のループ）。ステップＳ２４で電源オフ指示２２ｂがあると、電力１１ａをオフにし（ステップＳ２５）、終了する（ステップＳ２６）。
【００３７】
図５は、本発明の実施例に係る携帯端末１００の主制御部２０の緊急通信機能２２等の動作フローチャートである。電力１１ａオン直後のブートを含めた動作を説明する。主制御部２０は、電源オン直後、最低限の基本プログラムであるステップＳ３２のプログラム等をハード処理によりブートする（ステップＳ３１）。ステップＳ３１のブートが完了してステップＳ３２のプログラムが実行可能になり、次に、電力１１ａオンの要因が緊急モードで電力１１ａがオフになった状態での長押しかどうかを長押下１２ａでチェックする（ステップＳ３２）。長押下１２ａは、電力１１ａがオフ状態で主制御部２０が立ち上がる前の状態において、長押し検知機能により出力保持された信号であり、主制御部２０が立ち上がった後のステップＳ３２でチェックする。
【００３８】
ステップＳ３２で、長押しでなければ通常の電源オンであり、通常処理へ入り（ステップＳ５０）、残りの通常のブートと通常処理を行う。
【００３９】
ステップＳ３２で、長押しであれば、緊急通信機能２２が開始する。すなわち、緊急モードに設定されている状態で自動電源オフになった後、ユーザが緊急通信のためにテンキー３ｂを長押しして、電力１１ａがオンになって主制御部２０が起動したのであるから、緊急通信機能２２は、緊急通信に必要なプログラムをブートする（ステップＳ３３）。また、待ち受けに必要なプログラムをブートする（ステップＳ３４）。必要なプログラムのみブートすることで、ブート時間を短縮して緊急通信実行のための時間の短縮を図るものである。
【００４０】
緊急通信機能２２は、待ち受け表示を行う。ただし、表示部７のバックライト２２ｃをオフにして省電力を図る（ステップＳ３５）。
【００４１】
緊急通信機能２２は、緊急通信方法記憶部３２を読んで、緊急通信を電話発信で対応するかメール発信で対応するかをチェックする（ステップＳ３６）。電話発信であれば、長押下１２ａのキー種別に対応した電話宛先と通信内容をテンキー対応記憶部３３から読み取って、その電話宛先へ発呼し、その通信内容で音声伝送する（ステップＳ３７）。なお、電話発信の場合、発呼のみとし、音声伝送は省いてもよい。発呼のみでも電話宛先へは発呼情報が伝わるので、緊急の電話通信とすることができる。
【００４２】
緊急通信機能２２は、ステップＳ３６でメール発信であれば、長押下１２ａのキー種別に対応したメール宛先と通信内容をテンキー対応記憶部３３から読み取って、そのメール宛先へ発信し、その通信内容でメール伝送する（ステップＳ３８）。
【００４３】
緊急通信機能２２は、緊急通信終了をブザー２２aで出力し、ユーザに報知する（ステップＳ３９）。これは、緊急通信では極力、電力を消費しないようにするため、表示部７の表示を行わないため、ユーザがテンキーを長押しした結果、緊急通信が行われたことをユーザに報知するためである。
【００４４】
緊急通信機能２２は、電源制御部１へ電源オフ指示２２ｂを通知し（ステップＳ４０）、終了する。  
電源制御部１は、この通知を受けて電力１１ａをオフにして終了する。
【００４５】
なお、電池２は、常時オンの電源としたが、電力１１ａのオン期間オフ期間共にオンとなる電源であってもよい。  
また、消費電力を低減するために、電力１１ａをオンオフ制御したが、電力１１ａで作動する箇所を省電力モード、例えば、クロック低減やスリープモード等により制御してもよい。  
また、電力１１ａで作動する箇所をさらに細かいブロックに分けて省電力制御するようにしてもよい。  
また、テンキーの長押しにより緊急通信を行ったが、他のキーであってもよい。
【００４６】
また、表示部７を極力低消費状態にしたり、表示部７自体が低消費電力の表示手段である場合には、緊急通信用に長押下されたテンキーの種別と通信宛先、通信内容を表示した後に、ユーザがそれを確認して、更にテンキーを押下することで緊急通信を実行するようにしてもよい。
【００４７】
本発明の実施例によれば、緊急モードに設定されている状態で電池電圧が低下して自動電源オフになった後、ユーザが緊急通信のためにテンキーを長押しするだけの１回の操作で、予めユーザ登録されている通信宛先に対して、予めユーザ登録されている通信内容で緊急発信を行うことができ、ユーザにとって非常に使い勝手のよい緊急の連絡が可能となる。
【００４８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４９】
１  電源制御部
２  電池
３  操作入力部
４  無線部
５  通信制御部
６  送話／受話部
７  表示部
１１  電源制御機能
１２  長押し検知機能
２０  主制御部
２１  緊急／通常モード設定機能
２２  緊急通信機能
３１  設定モード記憶部
３２  緊急通信方法記憶部
３３  テンキー対応記憶部
１００  携帯端末
【図１】
2012060281.tif 000003
【図２】
2012060281.tif 000004
【図３】
2012060281.tif 000005
【図４】
2012060281.tif 000006
【図５】
2012060281.tif 000007